(57)【要約】      （修正有）【課題】毛髪や塵芥等を捕捉すると共に、悪臭やぬめりの発生を防止する排水口用フィルタを提供する。【解決手段】濾過性を有する不織布、合成樹脂フィルム、又は紙材等から成る基材シート３には、多数の透孔２が穿けられ、裏面に粘着層が設けられている。基材シート３には、微生物や黴が繁殖することを防止するための抗菌作用を有する水溶性の薬剤が含侵されている。使用に際して、基材シート３を粘着層により排水口の目皿Ｍ上に貼り付けると、排水は透孔２、目皿Ｍの排水孔を通って排水管に流下するが、抜け落ちた毛髪や大きな塵芥類は、基材シート３に引っ掛かった状態となる。排水と共に、基材シート３から含浸又は表面に塗布した薬剤が徐々に溶け出し、薬剤の抗菌防黴成分が水分と共に排水管の表面に移動する。このようにして排水管の表面は継続して抗菌性、防黴性による効果が得られ、悪臭やぬめりの発生を防止できる。【選択図】図３
0003190091.tif 000002
【実用新案登録請求の範囲】
【請求項１】
裏面に粘着層を設け複数の透孔を備えた基材シートと、前記粘着層に貼り付けた離型紙とから成る排水口用フィルタであって、
前記基材シートに微生物や黴の発育を抑制する水溶性の薬剤を含浸したことを特徴とする排水口用フィルタ。
【請求項２】
前記基材シートには前記薬剤と共に接着成分を含浸したことを特徴とする請求項１に記載の排水口用フィルタ。
【請求項３】
前記薬剤は前記粘着層に練り込んで成形したことを特徴とする請求項１に記載の排水口用フィルタ。
【請求項４】
前記基材シートは濾過性を有する不織布としたことを特徴とする請求項１〜３の何れか１項に記載の排水口用フィルタ。
【請求項５】
裏面に粘着層を設け複数の透孔を備えた基材シートと、前記粘着層に貼り付けた離型紙とから成る排水口用フィルタであって、
前記基材シートの表面に微生物や黴の発育を抑制する水溶性の薬剤を塗布したことを特徴とする排水口用フィルタ。
【請求項６】
前記基材シートの表面には前記塗布した薬剤と共に接着成分を付加したことを特徴とする請求項５に記載の排水口用フィルタ。
【請求項７】
前記基材シートは濾過性を有する不織布としたことを特徴とする請求項５又は６に記載の排水口用フィルタ。
【考案の詳細な説明】
【技術分野】
【０００１】
本考案は、風呂や洗面所等の排水口や排水口に装着された目皿上に取り付けて、悪臭や排水管に付着するぬめりの発生を防止しながら使用する排水口用フィルタに関するものである。
【背景技術】
【０００２】
一般に風呂等の排水口には、排水管内に毛髪や塵芥等のゴミが流入することを防止するために、毛髪や塵芥等のゴミを除去する目皿が取り付けられている。毛髪や塵芥等のゴミが目皿に詰まり、水が排水し難くなると、目皿に溜まった毛髪や塵芥等のゴミを除去する必要があるが、目皿に絡みついた毛髪等のゴミを除去するのはなかなか厄介である。
【０００３】
そこで近年では、排水口や排水口に装着された目皿上に使い捨ての排水口用フィルタを取り付け、掃除の手間を軽減する方法が特許文献１に開示されている。この排水口用フィルタとしては、不織布、合成樹脂製シート、紙製等のものが使用されている。
【先行技術文献】
【特許文献】
【０００４】
【特許文献１】特開２００４−６８５８８号公報
【考案の概要】
【考案が解決しようとする課題】
【０００５】
しかし、特許文献１における従来の排水口用フィルタは、単に毛髪や塵芥等のゴミを捕捉するだけのものであって、排水口用フィルタに毛髪等が溜り続けると、微生物が繁殖する。そして、この繁殖することにより、悪臭が発生したり、排水管等にぬめりが付着するという問題を有している。
【０００６】
本考案の目的は、上述の問題点を解消し、毛髪や塵芥等のゴミを捕捉すると共に、悪臭やぬめりの発生を防止することができる排水口用フィルタを提供することにある。
【課題を解決するための手段】
【０００７】
上述の目的を達成するための本考案に係る排水口用フィルタは、裏面に粘着層を設け複数の透孔を備えた基材シートと、前記粘着層に貼り付けた離型紙とから成る排水口用フィルタであって、前記基材シートに微生物や黴の発育を抑制する水溶性の薬剤を含浸したことを特徴とする。
【０００８】
また、本考案に係る排水口用フィルタは、裏面に粘着層を設け複数の透孔を備えた基材シートと、前記粘着層に貼り付けた離型紙とから成る排水口用フィルタであって、前記基材シートの表面に微生物や黴の発育を抑制する水溶性の薬剤を塗布したことを特徴とする。
【考案の効果】
【０００９】
本考案の排水口用フィルタによれば、毛髪や塵芥等のゴミを捕捉すると共に、含浸又は表面に塗布した薬剤により悪臭やぬめりの発生を防止する。
【図面の簡単な説明】
【００１０】
【図１】排水口用フィルタの平面図である。
【図２】図１のＡ−Ａ線に沿った断面図である。
【図３】排水口用フィルタを目皿上に取り付ける場合の説明図である。
【考案を実施するための形態】
【００１１】
本考案を図示の実施例に基づいて詳細に説明する。
図１は実施例における排水口用フィルタの平面図、図２は断面図を示している。排水口用フィルタ１はポリエステル、ポリプロピレン、ナイロン等から成る濾過性を有する不織布、合成樹脂フィルム、又は紙材等から成り、多数の透孔２が穿けられた基材シート３の裏面に粘着層４が設けられ、粘着層４を覆うように基材シート３よりも大きな略正方形状の離型紙５が貼り付けられている。なお、離型紙５にも基材シート３と同じ透孔２が穿けられているが、透孔２を穿けるのは基材シート３のみでもよい。
【００１２】
基材シート３は略円形であり、四隅に剥がし片６が設けられている。透孔２は中心部の複数の円形孔と、これらの円形孔を取り囲み、放射状に配置された複数の略矩形孔とから構成されている。略矩形孔は排水の流下性を良くし、円形孔はゴミ等の引っ掛かり性を良くするためのものである。
【００１３】
また、基材シート３には、微生物や黴が繁殖することを防止するための抗菌作用を有する水溶性の薬剤が含侵されている。この薬剤としては、ジオドメチルｐ−トリルサルフォンのような硫黄、又はハロゲンを含む有機化合物を主成分とする抗菌防黴剤組成物が用いられている。硫黄又はハロゲンを含む有機化合物以外にも、各種の公知の殺菌剤、抗菌剤、防黴剤が使用可能である。
【００１４】
また、一般的な抗菌防黴剤組成物として知られている化合物や抗菌作用を有する天然精油類等であれば、使用が可能であり、更に上述の薬剤の成分に、ぬめりを除去するための殺菌作用を有する成分を付加するようにしてもよい。
【００１５】
薬剤を不織布に含浸させるだけでは、排水を流すと薬剤は急速に溶解してしまう。そこで、少しずつ薬剤を溶解させるために、アクリル系等の接着成分を有する接着剤を薬剤と共に含浸させることが好適である。なお、ジオドメチルｐ−トリルサルフォンの薬剤とアクリル系の接着成分とを用いた場合の薬剤と接着成分の含浸比率は、４：１程度である。
【００１６】
薬剤に対して、接着成分を混合して含有させると、排水に対して薬剤が徐々に溶解する。また、接着成分を不織布に含浸させることで、耐水性、耐久性に優れるという効果もある。
【００１７】
また、基材シート３に薬剤を定着させる手段として、含浸させる以外に抗菌作用、殺菌作用を有する薬剤を添加したインクを製造し、このインクを基材シート３の表面に印刷、つまり塗布するようにしてもよい。更にこのインクに接着成分を付加するようにしてもよい。
【００１８】
また、薬剤は基材シート３の粘着層４に練り込んで成形してもよい。粘着層４には接着成分を含むため、適宜薬剤と接着成分の比率を上述のように調整することで薬剤を少しずつ溶解させることも可能である。
【００１９】
この排水口用フィルタ１を使用する際には、離型紙５から剥がし片６を摘んで剥がした図３に示す基材シート３を、粘着層４を下にして排水口の目皿Ｍ上に貼り付ける。このように、基材シート３を目皿Ｍに貼り付けることにより、排水の水流により基材シート３が目皿Ｍから移動してしまうことが防止される。
【００２０】
基材シート３を目皿Ｍに貼り付けた後に、例えばシャワー等により洗髪を行うと、排水は基材シート３の透孔２、目皿Ｍの排水孔を通って排水管に流下する。この際に、抜け落ちた毛髪や大きな塵芥類は透孔２を通過することができないので、基材シート３に引っ掛かった状態となる。
【００２１】
排水と共に、基材シート３から含浸又は表面に塗布した薬剤が徐々に溶け出し、薬剤の抗菌防黴成分が水分と共に排水管の表面に移動する。このようにして排水管の表面は継続して抗菌性、防黴性による効果が得られ、悪臭やぬめりの発生を防止することができる。
【００２２】
また、基材シート３が濾過性を有する不織布の場合は、洗髪や体を洗うことで発生するタンパク質や乳化した皮脂、或いは、汗に含まれる尿素や乳酸等の微細なゴミを或る程度濾過して、基材シート３に付着させることが可能であるので、微生物や黴の養分であるタンパク質等の排水管への流下を抑えることができる。
【００２３】
例えば、２週間程度連続して基材シート３を使用すると、基材シート３の表面には塵芥が溜まり、かつ含浸又は表面に塗布した薬剤が溶け切るので、基材シート３を目皿Ｍから剥がして、毛髪や塵芥等と共に廃棄する。そして、新しい基材シート３を目皿Ｍに貼り付ける。
【００２４】
また、薬剤に着色のための少量の顔料や染料を添加すると、薬剤の成分が溶け切った場合に、着色した色素も無くなるので、交換時期を容易に判断することができる。
【符号の説明】
【００２５】
１  排水口用フィルタ
２  透孔
３  基材シート
４  粘着層
５  離型紙
６  剥がし片
Ｍ  目皿
【図１】
0003190091.tif 000003
【図２】
0003190091.tif 000004
【図３】
0003190091.tif 000005